(57)【特許請求の範囲】
【請求項１】
有底筒状に成されたキャップ本体と、このキャップ本体内に収納された有底筒状のインナーキャップより構成し、
前記キャップ本体の内周面の一部には、内周面に沿って円環状の突起部が形成され、
前記インナーキャップは、開口部に形成されたテーパ部を基点として、底部方向に一体に延出されて形成された外筒体と、前記テーパ部を基点として、前記外筒体の内側に形成された有底筒状の内筒体とを有し、かつ、前記外筒体の外周面には、前記キャップ本体の内周面に形成された突起部に回転可能に係合する円環状の溝部が形成され、前記キャップ本体に対して軸線を中心として回転可能に取り付けられていることを特徴とする筆記具用キャップ。
【請求項２】
前記有底筒状に成されたキャップ本体は合成樹脂により成形され、また前記インナーキャップは前記キャップ本体よりも軟質な合成樹脂により成形されていることを特徴とする請求項１記載の筆記具用キャップ。
【発明の詳細な説明】
【０００１】
【産業上の利用分野】
本発明は、軸筒の先端に取り付けられたペン芯を保護すると共に、保存中におけるペン芯からの筆記用インクの蒸発を防止させるための筆記具用キャップに関するものである。
【０００２】
【従来の技術】
一般に水性または油性の筆記用インクを用いる筆記具には、ペン芯を保護すると共に、保存中におけるペン芯からの筆記用インクの蒸発を防止させるために、有底筒状のキャップが被せられるようになされている。
【０００３】
従来のこの種の筆記具用キャップにおいては、例えば図３に示すような構成のものが提供されている。
図３にその主要部を断面図で示したように、キャップ１０１は全体を合成樹脂により有底筒状に成形されており、その開口部１０２近傍の内周面には間欠的に突起部１０３が環状に施されている。
【０００４】
また突起部１０３が配置された位置よりも若干奥側の位置には、断面円弧状の環状の縮径部１０４が形成されている。
そしてキャップ１０１の底部１０５の周側面には、キャップ１０１と一体に立上がり部が形成され、この立上がり部に延出されてクリップ１０６が形成されている。
【０００５】
この図３に示す構成のキャップ１０１は、開口部１０２近傍の内周面に間欠的に設けられた突起部１０３が、図示せぬ筆記具本体の例えば溝状の係合部に係合し、筆記具本体に対してキャップ１０１が取り付けられるようになされる。
【０００６】
そして筆記具本体に対してキャップ１０１が取り付けられた状態において、前記縮径部１０４が筆記具本体の例えば口金部分と当接されてペン芯部分を密封する。即ち、前記縮径部１０４がペン芯からの筆記用インクの蒸発を防止させるためのシール部としての作用をなすように構成されている。
【０００７】
一方、図４に示すものは従来の筆記具用キャップの他の例を示すものであり、図３に示す構成に対して、キャップ１０１における底部１０５の内側部に、さらに同軸状に内筒部１０７が一体に形成されている。
この図４に示す例においては、筆記具本体に対してキャップ１０１が取り付けられた状態において、前記内筒部１０７の端部１０７ａが筆記具本体の例えば口金部分に当接し、内筒部１０７がペン芯部分を囲む密封空間を形成できるようになされている。
【０００８】
従って、図４に示す構成によると、図３に示す場合に比べて、筆記具の口金部分を囲む密封空間をより少なくすることができ、よってキャップ内部の結露面積が小さくできるため、保存中における筆記用インクの蒸発の防止効果を高めることができる。
これにより図４に示す構造のキャップは、図３に示したようなシール部としての作用をなす縮径部１０４は省略されている。
【０００９】
【発明が解決しようとする課題】
ところで、前記した従来の筆記具用キャップにおいては、筆記具本体に対して着脱させる場合において、軸方向の着脱動作と共に回転方向の動作が伴うことがある。
また時には、キャップを筆記具本体に取り付けた状態で、筆記具本体に対してキャップを無意識に回転させる等の行動もしばしば見かけられる。
このために、図３に示す従来の筆記具用キャップ１０１においては、シール部としての作用をなす縮径部１０４と筆記具本体との間で回転による摩擦が発生し、この結果、縮径部１０４の部分が磨耗し、シール効果を極端に低下させるという技術的課題が発生する。
さらに磨耗により発生した微粉末が筆記具本体に付着して、外観上見苦しくなる等の課題も発生する。
【００１０】
また図４に示す従来の筆記具用キャップにおいても、シール部としての作用をなす内筒部１０７の端部１０７ａと、筆記具本体の例えば口金部分との間で回転摩擦が発生し、前述したのと同様の課題が発生する。
【００１１】
本発明は、このような従来のものの技術的課題に着目してなされたものであり、筆記具本体とキャップとの間で回転力が作用したとしても、シール効果を低下させることなく、また磨耗により微粉末が発生することのない筆記具用キャップを提供するすることを目的とするものである。
【００１２】
【課題を解決するための手段】
前記の目的を達成するために成された本発明の筆記具用キャップは、有底筒状に成されたキャップ本体と、このキャップ本体内に収納された有底筒状のインナーキャップより構成し、前記インナーキャップは、前記キャップ本体に対して軸線を中心として回転可能に取り付けられていることを特徴とする。
【００１３】
そして、特に、前記キャップ本体の内周面の一部には、内周面に沿って円環状の突起部が形成され、前記インナーキャップは、開口部に形成されたテーパ部を基点として、底部方向に一体に延出されて形成された外筒体と、前記テーパ部を基点として、前記外筒体の内側に形成された有底筒状の内筒体とを有し、かつ、前記外筒体の外周面には、前記キャップ本体の内周面に形成された突起部に回転可能に係合する円環状の溝部が形成されていることを特徴とする。
【００１４】
さらに、前記有底筒状に成されたキャップ本体は合成樹脂により成形され、また前記インナーキャップは前記キャップ本体よりも軟質な合成樹脂により成形されていることが望ましい。
【００１５】
【作用】
前記した構成の筆記具用キャップにおいては、インナーキャップがキャップ本体に対して軸線を中心として回転可能に取り付けられているので、筆記具本体とキャップ本体との間で相対的な回転力が作用しても、シール部材として作用するインナーキャップは筆記具本体側に密着し、両者間での回転による摩擦が発生することはない。
【００１６】
またキャップ本体とインナーキャップとは、円環状の突起部および円環状の溝部の組み合わせにより、相対的に回転可能に成されているので、構成が簡単であり、キャップ本体に対してインナーキャップを取り付ける場合の作業も容易に成し得られる。
さらにインナーキャップはキャップ本体よりも軟質な合成樹脂により成形されているので、インナーキャップの可撓性により、筆記具のペン芯部分を確実に密封状態に保持することが可能となる。
【００１７】
【実施例】
以下、本発明に係る筆記具用キャップを図１および図２に示す２つの実施例に基づいて説明する。
まず図１は、その第１の実施例の主要部を断面図で示したものである。
前記した従来のものと同様に、キャップ本体１は全体を合成樹脂により有底筒状に形成されており、その開口部２近傍の内周面には間欠的に突起部３が環状に並ぶように施されている。
【００１８】
またキャップ本体１の底部４側の周側面には、キャップ１と一体に立上がり部が形成され、この立上がり部に延出されてクリップ５が形成されている。
そしてキャップ本体１の内側面のやや底部４寄りの位置には、内周面に沿って円環状の突起部６が形成されている。
【００１９】
前記のように構成されたキャップ本体１の内側面には、その開口部２より有底筒状のインナーキャップ７が挿入されている。
このインナーキャップ７は、前記キャップ本体１を成形した合成樹脂の材質に比較して軟質の合成樹脂である例えばポリプロピレンにより成形されている。
【００２０】
そしてその中央胴部８より外筒体９が底部方向に一体に延出されており、外筒体９の外周面には、前記キャップ本体１の内周面に施された突起部６に回転可能に係合する円環状の溝部１０が形成されている。また前記中央胴部８より前記外筒体９の内側には有底筒状の内筒体１２が形成されている。
【００２１】
またインナーキャップ７の開口部には開口方向に広がるテーパ部１１が形成され、その開口端縁がキャップ本体１の内側面に僅かなクリアランスを持って接するようになされている。
従って前記インナーキャップ７は、キャップ本体１に対して軸線Ｃを中心として回転可能になるように取り付けられている。
【００２２】
前記のようになされた筆記具用キャップは、筆記具本体（図示せず）に対して取り付けた場合、インナーキャップ７の開口部に形成されたテーパ部１１が、筆記具本体の例えば口金部分と当接されてペン芯部分を密封し、テーパ部１１がペン芯からの筆記用インクの蒸発を防止させるためのシール部としての作用をする。
【００２３】
そして、インナーキャップ７がキャップ本体１に対して軸線Ｃを中心として回転可能になされているので、筆記具本体とキャップ本体１との間で相対的な回転作用が生じたとしても、インナーキャップ７は筆記具本体側に密着し、両者間での回転による摩擦が発生することはない。
【００２４】
図２は、この発明の第２の実施例をその主要部を断面図で示したものである。尚、この図２において、図１と同一符号で示す部分は、それぞれ相当部分を示しており、従ってその詳細な説明は省略する。
【００２５】
図２に示す例においては、キャップ本体１の内側面に成形された円環状の突起部６は、図１に示す実施例に比較して若干キャップ本体１の開口部２寄りに形成されている。
そして、インナーキャップ７は開口部に形成されたテーパ部１１を基点として、外筒体９が底部方向に一体に延出されて形成され、外筒体９の開口部寄りの外周面には、前記キャップ本体１の内周面に施された突起部６に回転可能に係合する円環状の溝部１０が形成されている。
またテーパ部１１を基点として、前記外筒体９の内側には有底筒状の内筒体１２が形成され、前記内筒体１２の内周面に沿って、円環状の突起部１３が形成されている。
【００２６】
この図２に示した例においては、インナーキャップ７における内筒体１２の円環状の突起部１３が、筆記具本体の例えば口金部分に当接してペン芯部分を密封し、前記突起部１３がペン芯からの筆記用インクの蒸発を防止させるためのシール部としての作用をする。
【００２７】
そして、インナーキャップ７がキャップ本体１に対して軸線Ｃを中心として回転可能になされているので、筆記具本体とキャップ本体１との間で相対的な回転作用が生じたとしても、インナーキャップ７は筆記具本体側に密着し、両者間での回転による摩擦が発生することはない。
【００２８】
なお、前記図１および図２に示したいずれの実施例においても、キャップ本体１の開口部２より、インナーキャップ７を挿入し、インナーキャップ７のテーパ部１１に当接する治具等でインナーキャップ７を押し込むことで、図に示したようにキャップ本体１内にインナーキャップ７を収納させることができる。
【００２９】
すなわち、比較的軟質の樹脂材料で成形されたインナーキャップ７は、その外筒体９が多少変形して、キャップ本体１の開口部近傍に設けられた突起部３およびそれより内側部に設けられた円環状の突起部６を乗り越えることができる。
【００３０】
そして、キャップ本体１の内周面に施された円環状の突起部６に、インナーキャップ７の外筒体９に形成された環状の溝部１０が入り込んだ状態で、外筒体９の先端部がキャップ本体１の内側面に設けられた段部１ａに当接してインナーキャップ７の挿入が停止される。
【００３１】
このようにしてキャップ本体１内に挿入されたインナーキャップ７は、前記突起部６と溝部１０とで相対的に回転可能に保持されているので、筆記具本体よりキャップを引き抜いたとしても、それに引かれてインナーキャップがキャップ本体より脱落することはない。
【００３２】
【発明の効果】
以上の説明で明らかなように、請求項１に記載の筆記具用キャップによれば、インナーキャップがキャップ本体に対して軸線を中心として回転可能に取り付けられているので、筆記具本体とキャップ本体との間で相対的な回転作用が生じたとしても、シール部材として作用するインナーキャップは筆記具本体側に密着し、両者間での回転による摩擦が発生することはない。
【００３３】
従って、従来のもののようにキャップ本体と筆記具本体との間で、回転による摩擦が発生した場合、シール効果を極端に低下させるという課題の発生を除去することができ、さらに磨耗により発生した微粉末が筆記具本体に付着して、外観上見苦しくなる等の課題の発生も除去することができる。
【００３４】
また請求項１に記載の筆記具用キャップによれば、キャップ本体とインナーキャップとは、円環状の突起部および円環状の溝部の組み合わせにより、相対的に回転可能に成されているので、構成が簡単であり、キャップ本体に対してインナーキャップを取り付ける場合の作業も容易に行うことができ、キャップより筆記具本体を引き抜いたとしても、それに引かれてインナーキャップがキャップ本体より脱落する等の問題も発生しない。
【００３５】
さらに請求項２に記載の筆記具用キャップによれば、インナーキャップはキャップ本体よりも軟質な合成樹脂により形成されているので、インナーキャップの可撓性により、筆記具のペン芯部分を確実に密封状態に保持することが可能となり、インナーキャップによりペン芯を囲む密封空間が形成できるので、キャップ内部の結露面積が小さくでき、保存中における筆記用インクの蒸発の防止効果を高めることができる。
【図面の簡単な説明】
【図１】本発明の筆記具用キャップの第１の実施例の構成を示した部分破断断面図である。
【図２】本発明の筆記具用キャップの第２の実施例の構成を示した部分破断断面図である。
【図３】従来の筆記具用キャップの第１の例を示した部分破断断面図である。
【図４】従来の筆記具用キャップの第２の例を示した部分破断断面図である。
【符号の説明】
１  キャップ本体
２  開口部
３  突起部
４  底部
５  クリップ部
６  突起部
７  インナーキャップ
８  中央胴部
９  外筒体
１０  溝部
１１  テーパ部
１２  内筒体
Ｃ  軸線
【図１】
0003681074.tif 000002
【図２】
0003681074.tif 000003
【図３】
0003681074.tif 000004
【図４】
0003681074.tif 000005